(57)【要約】【課題】リスト表示された複数の検索カテゴリの検索条件を選択することによって再生対象の楽曲を検索することができるオーディオ装置を提供する。【解決手段】検索条件入力画面３０に表示されたジャンルボタン３１ａとアーティストボタン３１ｂとを押圧する。そうすると、検索条件入力画面３０には、ジャンル＆アーティストリスト３４ａ〜３４ｅが表示される。ユーザはジャンル＆アーティストリスト３４ａ〜３４ｅの中から、所望の音楽のジャンルとアーティスト名との組み合わせ３４ａを選択する。その結果、ユーザに選択された音楽のジャンルとアーティスト名で検索が行われ、検索結果画面４０が表示モニタ１５に表示される。検索結果画面４０には、検索結果である楽曲のリスト４１ａ〜４１ｅが表示される。【選択図】図３
2008185791.tif 000002
【特許請求の範囲】
【請求項１】
楽曲の音楽データを記憶する音楽データ記憶手段と、
複数の検索カテゴリの検索条件を組み合わせて表示したリストを表示モニタに表示するリスト表示手段と、
前記リストの中から検索条件の組み合わせを選択する検索条件選択手段と、
前記検索条件選択手段によって選択された検索条件の組み合わせで、前記音楽データ記憶手段によって記憶されている楽曲を検索する音楽データ検索手段と、
前記音楽データ検索手段によって検索された楽曲を前記表示モニタに表示する検索結果表示手段と、
前記検索結果表示手段によって表示された楽曲の音楽データを再生する音楽データ再生手段と、
前記再生した楽曲の音楽データを音声として出力する音楽データ出力手段とを備えることを特徴とするオーディオ装置。
【請求項２】
請求項１に記載のオーディオ装置において、
検索カテゴリ選択ボタンを前記表示モニタに表示するボタン表示手段と、
前記ボタン表示手段によって表示される検索カテゴリ選択ボタンの選択により、前記リスト表示手段によって前記表示モニタに表示されるリストの検索カテゴリを選択する検索カテゴリ選択手段とを備えることを特徴とするオーディオ装置。
【請求項３】
請求項１に記載のオーディオ装置において、
前記リスト表示手段によって前記表示モニタに表示されるリストと、前記ボタン表示手段によって前記表示モニタに表示される検索カテゴリ選択ボタンとを第１の画面に表示し、
前記検索条件選択手段によって検索すると前記表示モニタに表示する表示画面を前記第１の画面から第２の画面に切り替え、
前記検索結果表示手段は、前記音楽データ検索手段によって検索された楽曲を前記第２の画面に表示することを特徴とするオーディオ装置。
【請求項４】
請求項２に記載のオーディオ装置において、
前記リスト表示手段は、前記ボタン表示手段によって表示された検索カテゴリ選択ボタンのうちの第１の検索カテゴリ選択ボタンが選択されると、前記第１の検索カテゴリ選択ボタンに係る検索カテゴリの検索条件のリスト作成を開始し、さらに第２の検索カテゴリ選択ボタンが選択されると、前記第１の検索カテゴリ選択ボタンに係る検索カテゴリの検索条件のリスト作成を中断し、前記第１の検索カテゴリ選択ボタンに係る検索カテゴリの検索条件と、前記第２の検索カテゴリ選択ボタンに係る検索カテゴリの検索条件とを組み合わせたリストのリスト作成を開始し、作成したリストを前記表示モニタに表示することを特徴とするオーディオ装置。
【発明の詳細な説明】
【技術分野】
【０００１】
本発明は、オーディオ情報を表示モニタに表示するオーディオ装置に関する。
【背景技術】
【０００２】
アーティスト名やアルバム名のリストを表示し、リストの中からアーティスト名やアルバム名を選択して、再生対象の音楽を決定する再生装置が従来技術として知られている（たとえば、特許文献１）。この再生装置では、アーティスト名のリストから所望のアーティスト名を選択すると、選択したアーティスト名に対応する楽曲アルバムの中で最初に登録されたアルバムの最初の曲が再生される。また、アルバム名のリストから所望のアルバム名を選択すると、選択したアルバムの最初の曲が再生される。
【特許文献１】特開２００５−７８７０５号公報
【発明の開示】
【発明が解決しようとする課題】
【０００３】
特許文献１に記載されているような従来の再生装置では、アーティスト名のリストが表示されても、それぞれのアーティスト名に対応するアルバムがわからない。また、アルバム名のリストが表示されても、それぞれのアルバムに対応するアーティスト名がわからないという問題点がある。
【課題を解決するための手段】
【０００４】
（１）請求項１の発明のオーディオ装置は、楽曲の音楽データを記憶する音楽データ記憶手段と、複数の検索カテゴリの検索条件を組み合わせて表示したリストを表示モニタに表示するリスト表示手段と、リストの中から検索条件の組み合わせを選択する検索条件選択手段と、検索条件選択手段によって選択された検索条件の組み合わせで、音楽データ記憶手段によって記憶されている楽曲を検索する音楽データ検索手段と、音楽データ検索手段によって検索された楽曲を表示モニタに表示する検索結果表示手段と、検索結果表示手段によって表示された楽曲の音楽データを再生する音楽データ再生手段と、再生した楽曲の音楽データを音声として出力する音楽データ出力手段とを備えることを特徴とする。
（２）請求項２の発明は、請求項１に記載のオーディオ装置において、検索カテゴリ選択ボタンを表示モニタに表示するボタン表示手段と、ボタン表示手段によって表示される検索カテゴリ選択ボタンの選択により、リスト表示手段によって表示モニタに表示されるリストの検索カテゴリを選択する検索カテゴリ選択手段とを備えることを特徴とする。
（３）請求項３の発明は、請求項１に記載のオーディオ装置において、リスト表示手段によって表示モニタに表示されるリストと、ボタン表示手段によって表示モニタに表示される検索カテゴリ選択ボタンとを第１の画面に表示し、検索条件選択手段によって検索すると表示モニタに表示する表示画面を第１の画面から第２の画面に切り替え、検索結果表示手段は、音楽データ検索手段によって検索された楽曲を第２の画面に表示することを特徴とする。
（４）請求項４の発明は、請求項２に記載のオーディオ装置において、リスト表示手段は、ボタン表示手段によって表示された検索カテゴリ選択ボタンのうちの第１の検索カテゴリ選択ボタンが選択されると、第１の検索カテゴリ選択ボタンに係る検索カテゴリの検索条件のリスト作成を開始し、さらに第２の検索カテゴリ選択ボタンが選択されると、第１の検索カテゴリ選択ボタンに係る検索カテゴリの検索条件のリスト作成を中断し、第１の検索カテゴリ選択ボタンに係る検索カテゴリの検索条件と、第２の検索カテゴリ選択ボタンに係る検索カテゴリの検索条件とを組み合わせたリストのリスト作成を開始し、作成したリストを表示モニタに表示することを特徴とする。
【発明の効果】
【０００５】
本発明によれば、複数の検索カテゴリの検索条件を組合せて表示したリストを表示し、そのリストから所望の検索条件の組み合わせを選択することによって再生対象の楽曲を検索することができる。したがって、検索のカテゴリをアーティストとアルバムとしてアーティスト名とアルバム名とが表示されたリストを表示することができ、そのリストから再生対象の楽曲を絞り込むことができるので、オーディオ装置の利便性が向上する。
【発明を実施するための最良の形態】
【０００６】
本発明の実施形態によるオーディオ装置の構成を図１に示す。図１のオーディオ装置１は、再生対象の楽曲を検索し、その検索結果を表示モニタにリスト表示することができる。オーディオ装置１は、制御回路１１、ＲＯＭ１２、ＲＡＭ１３、画像メモリ１４、表示モニタ１５、スピーカ１６、入力装置１７、タッチパネル１８、タッチパネルコントロール部１９および音楽データ記憶部１１０を有している。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１は、表示モニタ１５に表示する画像を生成し、あるいは、音楽データ記憶部１１０に記憶されている楽曲を再生する。画像メモリ１４は、表示モニタ１５に表示する画像データを格納する。この画像データは制御回路１１によって適宜生成される。
【０００８】
表示モニタ１５は、楽曲の検索条件を入力するためのリストを表示したり、あるいは、検索された楽曲をリスト表示する。スピーカ１６は、制御回路１１で再生した音声データを出力する。入力装置１７は、ユーザが各種コマンドの設定などするための操作キーを有し、操作パネル上のボタンスイッチなどによって実現される。入力装置１７を操作することによって、リスト表示された検索条件や楽曲をスクロールしたり、再生する楽曲を選択したりすることができる。
【０００９】
タッチパネル１８は、表示モニタ１５の表面に積層される透明のタッチスイッチであり、表示モニタ１５に表示される画像はタッチパネル１８を通して表示される。したがって、表示モニタ１５の表示画面を押圧するとタッチパネル１８が押圧される。タッチパネル１８は、タッチパネル１８上の操作位置に応じた信号をタッチパネルコントロール部１９に送出し、タッチパネルコントロール部１９はタッチパネル１８の押圧位置を算出する。
【００１０】
表示モニタ１５に表示された各種ボタンや表示メニューなどを指などで押圧するとタッチパネル１８は押圧され、各種ボタンや表示メニューに定義された処理が実行される。たとえば、リストの中から所望の検索条件を選択すると、選択された検索条件で検索が実行され、あるいは、楽曲のリストの中から選択された楽曲の再生が開始される。
【００１１】
音楽データ記憶部１１０は、フラッシュメモリやハードディスクなどの書き換え可能な記録媒体によって構成され、音楽データを記憶する。音楽データには、楽曲再生用データ、演奏しているアーティスト、曲名、楽曲のジャンル、アルバムなどの情報が含まれる。音楽データ記憶部１１０に記憶されている音声データは制御回路１１において再生され、スピーカ１６より出力される。アーティストの情報、曲名、曲名のジャンルの情報、アルバム情報などは、制御回路１１で読み込まれ、表示モニタ１５に表示される。また、アーティスト、曲名、楽曲のジャンル、アルバムなどの情報を利用して、所望の楽曲を検索することができる。
【００１２】
次に、本発明の一実施形態におけるオーディオ装置１における再生対象の楽曲の検索操作について、図２および図３を参照して説明する。オーディオ装置１が音楽を再生するとき、図２（ａ）に示すような再生画面２０が表示モニタ１５に表示される。再生画面には、再生されている楽曲のトラックナンバ２１、再生経過時間２２、再生している音楽の曲名２３、再生している楽曲のアーティスト名２４、再生している楽曲に収録されているアルバム名２５、再生、再生の停止などを操作する操作ボタン２６ａ〜２６ｃおよび検索ボタン２７が表示される。
【００１３】
再生する楽曲を検索する際、再生画面２０の検索ボタン２７を押圧すると、図２（ｂ）に示すように、検索条件入力画面３０が表示モニタ１５に表示される。検索条件入力画面３０には、検索のカテゴリを選択する検索カテゴリボタン３１ａ〜３１ｃと、ユーザが予め登録した楽曲のリストを表示するためのプレイリストボタン３２と、が表示される。
【００１４】
検索カテゴリボタン３１ａ〜３１ｃとして、ジャンルボタン３１ａ、アーティストボタン３１ｂ、アルバムボタン３１ｂが表示される。ジャンルボタン３１ａは、音楽のジャンルから所望の楽曲を検索するためのボタンである。ジャンルボタン３１ａを押圧すると、図２（ｃ）に示すように、検索条件入力画面３０には、「Ｊ−ポップ」、「ロック」、「ダンス」、「ジャズ」、「クラシック」などの音楽のジャンルのジャンルリスト３３ａ〜３３ｅが表示される。ユーザがジャンルリスト３３ａ〜３３ｅの中から所望の音楽のジャンルを選択すると、選択された音楽のジャンルの楽曲が検索される。
【００１５】
アーティストボタン３１ｂは、アーティスト名から所望の楽曲を検索するためのボタンである。アーティストボタン３１ｂを押圧すると、図示は省略するが、検索条件入力画面３０には、アーティスト名を示したアーティストリストが表示される。ユーザがアーティストリストの中から所望のアーティストを選択すると、選択されたアーティストの楽曲が検索される。
【００１６】
アルバムボタン３１ｃは、アルバム名から所望の楽曲を検索するためのボタンである。アルバムボタン３１ｃを押圧すると、図示は省略するが、検索条件入力画面３０には、アルバム名を示したアルバムリストが表示される。ユーザがアルバムリストの中から所望のアルバムを選択すると、選択されたアルバムの楽曲が検索される。
【００１７】
本発明の一実施形態におけるオーディオ装置１では、ひとつの検索カテゴリのみならず、複数の検索カテゴリの検索をすることができる。たとえば、音楽のジャンルと、アーティスト名とによって検索を行う場合、まず、図２（ｃ）に示すように、ジャンルボタン３１ａを押圧し、検索条件入力画面３０にジャンルリスト３３ａ〜３３ｅを表示する。
【００１８】
次に、図３（ａ）に示すように、アーティストボタン３１ｂを押圧すると、検索条件入力画面３０には、ジャンル＆アーティストリスト３４ａ〜３４ｅが表示される。ジャンル＆アーティストリスト３４ａ〜３４ｅは、音楽のジャンルとアーティスト名とを組み合わせて表示したリストである。図３（ｂ）に示すように、ユーザはジャンル＆アーティストリスト３４ａ〜３４ｅの中から、所望の音楽のジャンルとアーティスト名との組み合わせ３４ａを選択する。その結果、ユーザに選択された複数の検索条件のカテゴリ（ジャンルとアーティスト）で検索が行われ、図３（ｃ）に示すように、検索結果画面４０が表示モニタ１５に表示される。
【００１９】
検索結果画面４０には、検索結果である楽曲のリスト４１ａ〜４１ｅが表示される。ユーザは、検索結果画面４０の楽曲のリスト４１ａ〜４１ｅのいずれかを押圧することによって再生する楽曲を選択することができる。楽曲のリスト４１ａ〜４１ｅの中から所望の楽曲を選択すると、再生画面２０に戻り、選択された楽曲の再生が開始される。
【００２０】
上記以外に、複数の検索カテゴリとして、音楽のジャンルとアルバムを選択すれば、ジャンル＆アルバムリストが表示される。ジャンル＆アルバムリストは、音楽のジャンルとアルバム名とを組み合わせて表示したリストである。複数の検索カテゴリとして、アーティストとアルバムを選択すれば、アーティスト＆アルバムリストが表示される。アーティスト＆アルバムリストは、アーティスト名とアルバム名とを組み合わせて表示したリストである。複数の検索カテゴリとして、音楽のジャンルとアーティストとアルバムを選択することもできる。この場合、ジャンル＆アーティスト＆アルバムリストが表示される。ジャンル＆アーティスト＆アルバムリストは、音楽のジャンルとアーティスト名とアルバム名とを組み合わせて表示したリストである。これらのリストの中から所望の検索条件の組み合わせを選択することによって、所望の楽曲を検索することができる。
【００２１】
次に、検索条件を入力するためのリストの作成について説明する。ジャンルリストは、予め作成され、音楽データ記憶部１１０に記憶されている。アーティストリストは、音楽データ記憶部１１０に記憶されているアーティスト名を抽出して、５０音順、またはアルファベット順に並べて作成される。アルバムリストは、音楽データ記憶部１１０に記憶されているアルバム名を抽出して、５０音順、またはアルファベット順に並べて作成される。
【００２２】
ジャンル＆アーティストリストは、音楽データ記憶部１１０に記憶されている音楽のジャンルごとにアーティスト名を検索して作成される。そして、各ジャンルについて５０音順、またはアルファベット順にアーティスト名を並べて作成され、ＲＡＭ１３に一時記憶される。
【００２３】
ジャンル＆アルバムリストは、音楽データ記憶部１１０に記憶されている音楽のジャンルごとにアルバム名を検索して作成される。そして、各ジャンルについて５０音順、またはアルファベット順にアルバム名を並べて作成され、ＲＡＭ１３に一時記憶される。
【００２４】
アーティスト＆アルバムリストは、音楽データ記憶部１１０に記憶されている楽曲のアーティストを抽出した後、アーティストごとにアルバム名を検索して作成される。そして、５０音順、またはアルファベット順にアーティスト名を並べ、各アーティストについて５０音順、またはアルファベット順にアルバム名を並べて作成される。
【００２５】
ジャンル＆アーティスト＆アルバムリストは以下のように作成される。音楽データ記憶部１１０に記憶されている音楽のジャンルごとにアーティスト名を検索する。次にアーティストごとにアルバム名を検索する。音楽のジャンルごとに検索したアーティストを５０音順、またはアルファベット順に並べ、さらに各アーティストについて５０音順、またはアルファベット順にアルバム名を並べてジャンル＆アーティスト＆アルバムリストが作成される。
【００２６】
次に、本発明の一実施形態におけるオーディオ装置１における楽曲の検索処理について、図４〜図８のフローチャートを参照して説明する。図４〜図８の処理は、再生画面２０における検索ボタン２７が押圧されるとスタートするプログラムにより制御回路１１において実行される。
【００２７】
ステップＳ４０１では、表示モニタ１６に検索条件入力画面３０を表示する。ステップＳ４０２では、タッチパネルコントロール部１９が算出した押圧位置に基づいて、ジャンルボタン３１ａが押圧されて選択されたか否かを判定する。ジャンルボタン３１ａが選択された場合はステップＳ４０２が肯定判定され、ステップＳ４０３へ進む。ジャンルボタン３１ａが選択されない場合はステップＳ４０２が否定判定され、図７のステップＳ７０１へ進む。ステップＳ４０３では、ジャンルリストを検索条件入力画面３０に表示する。
【００２８】
ステップＳ４０４では、ジャンルリストより音楽のジャンルが選択されたか否かを判定する。音楽のジャンルが選択された場合はステップＳ４０４が肯定判定され、ステップＳ４０５へ進む。音楽のジャンルが選択されていない場合はステップＳ４０４が否定判定され、ステップＳ４０９へ進む。
【００２９】
ステップＳ４０５では、選択された音楽のジャンルを検索条件として楽曲を検索する。ステップＳ４０６では、検索結果画面３０を表示モニタ１５に表示する。ステップＳ４０７では、検索結果画面３０に検索結果の楽曲をリスト表示する。ステップＳ４０８では、検索結果の楽曲リストから選択された楽曲を再生する。
【００３０】
ステップＳ４０９では、アーティストボタン３１ｂが押圧されて選択されたか否かを判定する。アーティストボタン３１ｂが選択された場合はステップＳ４０９が肯定判定され、ステップＳ４１０へ進む。アーティストボタン３１ｂが選択されていない場合はステップＳ４０９が否定判定され、図６のステップＳ６０１へ進む。ステップＳ４１０では、ジャンル＆アーティストリストを表示する。
【００３１】
ステップＳ４１１では、ジャンル＆アーティストリストの中から音楽のジャンルおよびアーティストの組み合わせが選択されたか否かを判定する。音楽のジャンルおよびアーティストの組み合わせが選択された場合はステップＳ４１１が肯定判定され、ステップＳ４１２へ進む。音楽のジャンルおよびアーティストの組み合わせが選択されない場合はステップＳ４１１が否定判定され、図５のステップＳ５０１へ進む。
【００３２】
ステップＳ４１２では、選択された音楽のジャンルおよびアーティストの組み合わせのうちのジャンルを検索条件として楽曲を検索する。ステップＳ４１３では、ステップＳ４１２の検索結果に対してさらに選択された音楽のジャンルおよびアーティストの組み合わせのうちのアーティストを検索条件として楽曲を検索する。そして、ステップＳ４０６へ進む。
【００３３】
図５のステップＳ５０１では、アルバムボタン３１ｃが押圧されて選択されたか否かを判定する。アルバムボタン３１ｃが選択された場合はステップＳ５０１が肯定判定され、ステップＳ５０２へ進む。アルバムボタン３１ｃが選択されていない場合はステップＳ５０１が否定判定され、図４のステップＳ４１１へ戻る。ステップＳ５０２では、ジャンル＆アーティスト＆アルバムリストを表示する。
【００３４】
ステップＳ５０３では、ジャンル＆アーティスト＆アルバムリストの中から音楽のジャンル、アーティストおよびアルバムの組み合わせが選択されたか否かを判定する。音楽のジャンル、アーティストおよびアルバムの組み合わせが選択された場合はステップＳ５０３が肯定判定され、ステップＳ５０４へ進む。音楽のジャンル、アーティストおよびアルバムの組み合わせが選択されない場合はステップＳ５０３を繰り返す。
【００３５】
ステップＳ５０４では、選択された音楽のジャンル、アーティストおよびアルバムの組み合わせのうちの音楽のジャンルを検索条件として楽曲を検索する。ステップＳ５０５では、ステップＳ５０４の検索結果に対してさらに選択されたジャンル、アーティストおよびアルバムの組み合わせのうちのアーティストを検索条件として楽曲を検索する。ステップＳ５０６では、ステップＳ５０５の検索結果をさらに選択された音楽のジャンル、アーティストおよびアルバムの組み合わせのうちのアルバムを検索条件として楽曲を検索する。そして、図４のステップＳ４０６へ進む。
【００３６】
図６のステップＳ６０１では、アルバムボタン３１ｃが押圧されて選択されたか否かを判定する。アルバムボタン３１ｃが選択された場合はステップＳ６０１が肯定判定され、ステップＳ６０２へ進む。アルバムボタン３１ｃが選択されない場合はステップＳ６０１が否定判定され、図４のステップＳ４０４へ戻る。ステップＳ６０２では、ジャンル＆アルバムリストを表示する。
【００３７】
ステップＳ６０３では、ジャンル＆アルバムリストの中から音楽のジャンルおよびアルバムの組み合わせが選択されたか否かを判定する。音楽のジャンルおよびアルバムの組み合わせが選択された場合はステップＳ６０３が肯定判定され、ステップＳ６０４へ進む。音楽のジャンルおよびアルバムの組み合わせが選択されていない場合はステップＳ６０３が否定判定され、ステップＳ６０６へ進む。
【００３８】
ステップＳ６０４では、選択された音楽のジャンルおよびアルバムの組み合わせのうちの音楽のジャンルを検索条件として楽曲を検索する。ステップＳ６０５では、ステップＳ６０４の検索結果をさらに選択された音楽のジャンルおよびアルバムの組み合わせのうちのアルバムを検索条件として楽曲を検索する。そして、図４のステップＳ４０６へ進む。
【００３９】
ステップＳ６０６では、アーティストボタン３１ｂが押圧されて選択されたか否かを判定する。アーティストボタン３１ｂが選択された場合はステップＳ６０６が肯定判定され、図５のステップＳ５０２へ進む。アーティストボタン３１ｂが選択されていない場合はステップＳ６０６が否定判定され、ステップＳ６０３に戻る。
【００４０】
図７のステップＳ７０１では、アーティストボタン３１ｂが押圧されて選択されたか否かを判定する。アーティストボタン３１ｂが選択された場合はステップＳ７０１が肯定判定され、ステップＳ７０２へ進む。アーティストボタン３１ｂが選択されていない場合はステップＳ７０１が否定判定され、図８のステップＳ８０１へ進む。ステップＳ７０２では、アーティストリストを表示する。
【００４１】
ステップＳ７０３では、アーティストリストの中からアーティストが選択されたか否かを判定する。アーティストが選択された場合はステップＳ７０３が肯定判定され、ステップＳ７０４へ進む。アーティストが選択されない場合はステップＳ７０３が否定判定され、ステップＳ７０５へ進む。
【００４２】
ステップＳ７０４では、選択されたアーティストを検索条件として楽曲を検索する。そして、図４のステップＳ４０６へ進む。
【００４３】
ステップＳ７０５では、アルバムボタン３１ｃが押圧されて選択されたか否かを判定する。アルバムボタン３１ｃが選択された場合はステップＳ７０５が肯定判定され、ステップＳ７０６へ進む。アルバムボタン３１ｃが選択されていない場合はステップＳ７０５が否定判定され、ステップＳ７１０へ進む。ステップＳ７０６では、アーティスト＆アルバムリストを表示する。
【００４４】
ステップＳ７０７では、アーティスト＆アルバムリストの中からアーティストおよびアルバムの組み合わせが選択されたか否かを判定する。アーティストおよびアルバムの組み合わせが選択された場合はステップＳ７０７が肯定判定され、ステップＳ７０８へ進む。アーティストおよびアルバムの組み合わせが選択されない場合はステップＳ７０７が否定判定され、ステップＳ７１１へ進む。
【００４５】
ステップＳ７０８では、選択されたアーティストおよびアルバムの組み合わせのうちのアーティストを検索条件として楽曲を検索する。ステップＳ７０９では、ステップＳ７０８の検索結果をさらに選択されたアーティストおよびアルバムの組み合わせのうちのアルバムを検索条件として楽曲を検査する。そして、図４のステップＳ４０６へ進む。
【００４６】
ステップＳ７１０では、ジャンルボタン３１ａが押圧されて選択されたか否かを判定する。ジャンルボタン３１ａが選択された場合はステップＳ７１０が肯定判定され、図４のステップＳ４１０へ進む。選択されない場合はステップＳ７１０が否定判定され、ステップＳ７０３に戻る。
【００４７】
ステップＳ７１１では、ジャンルボタン３１ａが押圧されて選択されたか否かを判定する。ジャンルボタン３１ａが選択された場合はステップＳ７１１が肯定判定され、図５のステップＳ５０２へ進む。ジャンルボタン３１ａが選択されない場合はステップＳ７１１が否定判定され、ステップＳ７０７に戻る。
【００４８】
図８のステップＳ８０１では、アルバムボタン３１ｃが押圧されて選択されたか否かを判定する。アルバムボタン３１ｃが選択された場合はステップＳ８０１が肯定判定され、ステップＳ８０２へ進む。アルバムボタン３１ｃが選択されない場合はステップＳ８０１が否定判定され、図４のステップＳ４０２へ戻る。ステップＳ８０２では、アルバムリストを表示する。
【００４９】
ステップＳ８０３では、アルバムリストの中からアルバムが選択されたか否かを判定する。アルバムが選択された場合はステップＳ８０３が肯定判定され、ステップＳ８０４へ進む。アルバムが選択されない場合はステップＳ８０３が否定判定され、ステップＳ８０５へ進む。
【００５０】
ステップＳ８０４では、選択されたアルバムを検索条件として楽曲を検索する。そして、図４のステップＳ４０６へ進む。
【００５１】
ステップＳ８０５では、ジャンルボタン３１ａが押圧されて選択されたか否かを判定する。ジャンルボタン３１ａが選択された場合はステップＳ８０５が肯定判定され、図６のステップＳ６０２に進む。選択されない場合はステップＳ８０５が否定判定され、ステップＳ８０６へ進む。ステップＳ８０６では、アーティストボタン３１ｂが押圧されて選択されたか否かを判定する。アーティストボタン３１ｂが選択された場合はステップＳ８０６が肯定判定され、図７のステップＳ７０６に進む。アーティストボタン３１ｂが選択されない場合はステップＳ８０６が否定判定され、ステップＳ８０３に戻る。
【００５２】
以上の本発明の実施の形態によるオーディオ装置１は次のような作用効果を奏する。
（１）複数の検索カテゴリの検索条件を組合せて表示したリストを表示し、そのリストから所望の検索条件の組み合わせを選択することによって再生対象の楽曲を検索することができる。したがって、たとえば、検索のカテゴリをアーティストとアルバムとすれば、アーティスト名とアルバム名とが表示されたリストを表示することができ、そのリストから再生対象の楽曲を絞り込むことができるので、オーディオ装置の利便性が向上する。
【００５３】
（２）ひとつの検索条件入力画面３０の中で複数の検索カテゴリの検索条件を選択できるので、入力済みの検索条件を変更するとき、表示画面を戻す必要がないので便利である。すなわち、ひとつの検索カテゴリの検索条件を選択するごとに表示画面が変わる方式を採用する場合、入力済みの検索条件を変更するとき、表示画面を戻す必要があり、面倒である。たとえば、音楽のジャンルの検索に続いてアーティストの検索画面へ表示が変わった後で、音楽のジャンルの検索条件を変更した場合、音楽のジャンルの検索画面に戻る必要があり、操作が煩雑である。
【００５４】
（３）検索条件入力画面３０に表示された検索カテゴリボタン３１ａ〜３１ｃを選択することによって検索カテゴリを選択することができるので、検索カテゴリの選択操作が容易で便利である。
【００５５】
以上の実施の形態のオーディオ装置１を次のように変形することができる。
（１）検索カテゴリは、音楽のジャンル、アーティスト名、アルバム名であったが、所望の楽曲を検索するのに有効な検索カテゴリであれば実施形態に限定されない。たとえば、「７０年代」、「８０年代」、「９０年代」など、楽曲が販売された年代でもよい。
【００５６】
（２）再生画面２０の検索ボタン２７を選択すると、前回の検索条件を選択したときの検索条件入力画面３０が表示されるようにしてもよい。検索条件を入力する操作を最初から行う必要がないので便利である。
【００５７】
（３）検索カテゴリボタン３１ａ〜３１ｃを２度押しすると、その検索カテゴリボタン３１ａ〜３１ｃの選択が取り消されるようにしてもよい。たとえば、ジャンルボタン３１ａを押圧するとジャンルボタン３１ａが選択されるが、もう一度ジャンルボタン３１ａを押圧するとジャンルボタン３１ａの選択が取り消される。
【００５８】
（４）検索カテゴリボタン３１ａ〜３１ｃが選択さると、選択された検索カテゴリボタン３１ａ〜３１ｃに応じたリストの作成がすぐに開始されるようにしてもよい。このようにすることによって、迅速にリストを作成し、表示することができる。すでに他のリストの作成が開始されている場合、そのリストの作成を中断してリスト作成を開始する。したがって、検索カテゴリボタン３１ａ〜３１ｃの選択が確定してからリストの作成を開始する必要がない。たとえば、ジャンルボタン３１ａが選択されると、ジャンルリストの作成がすぐに開始される。しかし、ジャンルリストが表示される前にさらにアーティストボタン３１ｂが選択されると、ジャンルリストの作成が中断され、ジャンル＆アーティストリストの作成がすぐに開始される。
【００５９】
（５）オーディオ機能を備えたナビゲーション装置も本発明のオーディオ装置に含まれる。
【００６０】
本発明は、その特徴的構成を有していれば、以上説明した実施の形態になんら限定されない。
【００６１】
特許請求の範囲の要素と実施の形態との対応関係を説明する。
本発明の音楽データ記憶手段は音楽データ記憶部１１０に対応し、リスト表示手段は制御回路１１に対応する。検索条件選択手段は制御回路１１、タッチパネル１８およびタッチパネルコントロール部１９に対応し、音楽データ検索手段、検索結果表示手段および音楽データ再生手段は制御回路１１に対応する。音楽データ出力手段はスピーカ１６に対応し、ボタン表示手段は制御回路１１に対応する。検索カテゴリ選択手段は制御回路１１、タッチパネル１８およびタッチパネルコントロール部１９に対応する。なお、以上の説明はあくまで一例であり、発明を解釈する上で、上記の実施形態の構成要素と本発明の構成要素の対応関係になんら限定されるものではない。
【図面の簡単な説明】
【００６２】
【図１】本発明のオーディオ装置の構成を示すブロック図である。
【図２】本発明の一実施形態におけるオーディオ装置における再生対象の楽曲の検索操作を説明するための図である。
【図３】本発明の一実施形態におけるオーディオ装置における再生対象の楽曲の検索操作を説明するための図である。
【図４】本発明の一実施形態におけるオーディオ装置における楽曲の検索処理を説明するためのフローチャートである。
【図５】本発明の一実施形態におけるオーディオ装置における楽曲の検索処理を説明するためのフローチャートである。
【図６】本発明の一実施形態におけるオーディオ装置における楽曲の検索処理を説明するためのフローチャートである。
【図７】本発明の一実施形態におけるオーディオ装置における楽曲の検索処理を説明するためのフローチャートである。
【図８】本発明の一実施形態におけるオーディオ装置における楽曲の検索処理を説明するためのフローチャートである。
【符号の説明】
【００６３】
１  オーディオ装置
１１  制御回路
１２  ＲＯＭ
１３  ＲＡＭ
１５  表示モニタ
１７  入力装置
１８  タッチパネル
３１ａ〜３１ｃ  検索カテゴリボタン
３３ａ〜３３ｅ  ジャンルリスト
３４ａ〜３４ｅ  ジャンル＆アーティストリスト
４１ａ〜４１ｅ  楽曲のリスト
１１０  音楽データ記憶部
【図１】
2008185791.tif 000003
【図２】
2008185791.tif 000004
【図３】
2008185791.tif 000005
【図４】
2008185791.tif 000006
【図５】
2008185791.tif 000007
【図６】
2008185791.tif 000008
【図７】
2008185791.tif 000009
【図８】
2008185791.tif 000010